(57)【要約】【課題】  端子を損傷させないようにソケットから電気部品を抜き取ることができる電気部品用ソケット装置の提供。【解決手段】  カメラモジュール１が装着される装着部７が形成されたソケット本体６と、装着部７に挿入されたカメラモジュール１に接触する端子１１と、カメラモジュール１を収容した状態で装着部７に挿入可能なアダプタ１３と、ソケット本体６に設けられ端子１１とは別部材であってアダプタ１３に係合する係合部９とを備え、アダプタ１３と係合部９とから、ソケット５に対するカメラモジュール１の抜け止めをする抜け止め手段を構成した。【選択図】図３
2005276585.tif 000002
【特許請求の範囲】
【請求項１】
電気部品が装着され、この電気部品と電気的に接続されるソケットと、このソケットに対する前記電気部品の抜け止めをする抜け止め手段とを備え、前記ソケットが、前記電気部品が装着される装着部が形成されたソケット本体と、このソケット本体に設けられ、前記装着部内において露出し前記装着部に装着された前記電気部品に接触する端子とを有する電気部品用ソケット装置であって、
前記電気部品を収容した状態で前記装着部に挿入可能なアダプタと、
このアダプタに設けられ、前記電気部品を前記端子方向に押圧可能な押圧部とを備えるとともに、
前記抜け止め手段が、前記アダプタと、前記端子とは別部材であって前記ソケット本体に設けられ前記アダプタに係合する係合部とからなることを特徴とする電気部品用ソケット装置。
【請求項２】
請求項１記載の発明において、
前記端子を複数並べてなる端子群が複数設けられ、前記電気部品とともに前記アダプタが前記ソケットに装着された状態において、前記押圧部が、前記電気部品を挟んで複数の前記端子群のそれぞれに対向する位置のそれぞれに配置されることを特徴とする電気部品用ソケット装置。
【請求項３】
請求項１記載の発明において、
前記係合部が、前記装着部を囲む前記ソケット本体の側壁のうちの対向する側壁のそれぞれに設けられるとともに、前記電気部品の挿入方向に対して交差する方向に撓むことが可能な撓み部を有することを特徴とする電気部品用ソケット装置。
【請求項４】
請求項１記載の発明において、
前記アダプタが、前記電気部品の側面を覆う形状に形成される金属製の部材からなるとともに、接地接続される接地接続部を有することを特徴とする電気部品用ソケット装置。
【請求項５】
請求項１記載の発明において、
前記アダプタが、前記ソケットから露出する前記電気部品の端面を覆う形状に形成される金属製の部材からなるとともに、接地接続される接地接続部を有することを特徴とする電気部品用ソケット装置。
【請求項６】
請求項１記載の発明において、
前記電気部品が、所定の機構部が搭載され、前記ソケットに装着された状態で前記ソケットから突出する突出部を有し、
前記アダプタが、前記突出部を挿入する挿入孔を有することを特徴とする電気部品用ソケット装置。
【請求項７】
請求項６記載の発明において、
前記電気部品が、前記所定の機構部としてレンズ機構部が搭載される前記突出部を有するカメラモジュールからなることを特徴とする電気部品用ソケット装置。
【発明の詳細な説明】
【技術分野】
【０００１】
本発明は、電気部品が挿入されて装着され、この電気部品と電気的に接続されるソケットと、このソケットに対する前記電気部品の抜け止めをする抜け止め手段とを備え、前記ソケットが、前記電気部品が装着される装着部が形成されたソケット本体と、このソケット本体に設けられ、装着部内において露出し装着部に挿入された電気部品に接触する端子とを有する電気部品用ソケット装置に関する。
【背景技術】
【０００２】
従来の電気部品用ソケット装置は、電気部品（ＩＣ素子）が挿入されて装着され電気部品と電気的に接続されるソケット（ソケットベース）と、このソケットに対する電気部品の抜け止めをする抜け止め手段とを備えている。ソケットは、電気部品が装着される装着部が形成されたソケット本体と、このソケット本体に設けられ、装着部内において露出し装着部に挿入された電気部品に接触する端子とを有する。
【０００３】
端子は、装着部を囲むソケット本体の各側壁に沿って多数並べて配置されている。抜け止め手段は、電気部品の外周縁を覆う枠状のカバーと、多数の端子のそれぞれに形成され、カバーに係合する係合爪（係止部）とから構成されている。つまり、カバーとソケット本体との間に電気部品を配置した状態で、各端子に形成された係合爪にカバーを係合させ、カバーによりソケット本体から抜ける方向への電気部品の移動を規制することによって、ソケットに対する電気部品の抜け止めを実現している。
【特許文献１】特開平５−６２７４９号公報
【発明の開示】
【発明が解決しようとする課題】
【０００４】
従来の電気部品用ソケット装置では、上述したように、抜け止め手段によって、すなわち、カバーとソケット本体との間に電気部品を配置した状態で、多数の端子のそれぞれに形成された係合爪にカバーを係合させ、カバーによりソケットから抜け出る方向への電気部品の移動を規制することによって、ソケットに対する電気部品の抜け止めを実現している。したがって、電気部品をソケットから抜き取る際には、電気部品を抜き取る前に、すべての係合爪をカバーから離間させた状態に保持してカバーを取り外す作業が必要になる。
【０００５】
しかし、多数の端子のそれぞれに形成された係合爪をカバーから離間させる際に、端子を変形させたり破損させたりするおそれがある。また、すべての係合爪をカバーから離間させた状態に保持したつもりで、カバーから離間していない係合爪があることに気付かずに、カバーに対してカバーがソケットから取り外れる方向の外力を付与した場合、端子を変形させたり破損させたりするおそれがある。つまり、従来の電気部品用ソケット装置は、端子を損傷させずに電気部品を抜き取ることが困難であり、ソケットと電気部品とを個別に再利用したり、ソケットと電気部品とを個別に部品交換するものとしては適さない。
【０００６】
本発明は、上述の実状を考慮してなされたもので、その目的は、端子を損傷させないようにソケットから電気部品を抜き取ることができる電気部品用ソケット装置を提供することにある。
【課題を解決するための手段】
【０００７】
上述の目的を達成するために、本発明は、次の〔１〕〜〔７〕のように構成してある。
【０００８】
〔１〕本発明は、電気部品が装着され、この電気部品と電気的に接続されるソケットと、このソケットに対する前記電気部品の抜け止めをする抜け止め手段とを備え、前記ソケットが、前記電気部品が装着される装着部が形成されたソケット本体と、このソケット本体に設けられ、前記装着部内において露出し前記装着部に装着された前記電気部品に接触する端子とを有する電気部品用ソケット装置であって、前記電気部品を収容した状態で前記装着部に挿入可能なアダプタと、このアダプタに設けられ、前記電気部品を前記端子方向に押圧可能な押圧部とを備えるとともに、前記抜け止め手段が、前記アダプタと、前記端子とは別部材であって前記ソケット本体に設けられ前記アダプタに係合する係合部とからなることを特徴とする。
【０００９】
このように構成した本発明では、電気部品がアダプタに収容された状態で、ソケット本体の装着部に挿入される。アダプタのソケットに対する挿入が完了した状態では、ソケット本体に設けられた端子とは別部材の係合部と、アダプタとが係合している。つまり、電気部品が装着部から抜け出る方向への移動が、端子とは別部材の係合部と係合したアダプタによって規制され、ソケットに対する電気部品の抜け止めがなされている。したがって、電気部品をソケットから取り外す際には、端子とは別部材の係合部とアダプタとの係合を解除した状態で、アダプタを取り外した後に、または、アダプタとともに、電気部品をソケットから抜き取ることができる。これにより、端子を損傷させないようにソケットから電気部品を抜き取ることができる。
【００１０】
また、電気部品がアダプタとともに装着部に挿入された状態では、アダプタに設けられた押圧部によって、電気部品が端子方向に押圧される。これにより、電気部品と端子との接触圧を、係合部とアダプタを係合させただけの場合よりも高めることができる。
【００１１】
〔２〕本発明は、〔１〕記載の発明において、前記端子を複数並べてなる端子群が複数設けられ、前記電気部品とともに前記アダプタが前記ソケットに装着された状態において、前記押圧部が、前記電気部品を挟んで複数の前記端子群のそれぞれに対向する位置のそれぞれに配置されることを特徴とする。
【００１２】
このように構成した本発明では、電気部品と各端子群との接触圧をほぼ均等に高めることができる。
【００１３】
〔３〕本発明は、〔１〕記載の発明において、前記係合部が、前記装着部を囲む前記ソケット本体の側壁のうちの対向する側壁のそれぞれに設けられるとともに、前記電気部品の挿入方向に対して交差する方向に撓むことが可能な撓み部を有することを特徴とする。
【００１４】
このように構成した本発明では、アダプタを装着部に挿入する際、撓み部を電気部品から離れる方向に撓ませることによって、装着部に対する電気部品の挿入を許容し、電気部品が装着部に挿入された状態において撓み部を復帰させることにより係合部をアダプタに係合させることができる。これにより、アダプタの着脱を容易に行うことができる。
【００１５】
〔４〕本発明は、〔１〕記載の発明において、前記アダプタが、前記電気部品の側面を覆う形状に形成された金属製の部材からなるとともに、接地接続される接地接続部を有することを特徴とする。
【００１６】
このように構成した本発明では、電気部品の側面と外部磁界とを遮断することができる。つまり、電気部品の側面に対する磁気シールドを実現できる。
【００１７】
〔５〕本発明は、〔１〕記載の発明において、前記アダプタが、前記ソケットから露出する前記電気部品の端面を覆う形状に形成された金属製の部材からなるとともに、接地接続される接地接続部を有することを特徴とする。
【００１８】
このように構成した本発明では、ソケットから露出する電気部品の端面と外部磁界とを遮断することができる。つまり、電気部品の端面に対する磁気シールドを実現できる。
【００１９】
〔６〕本発明は、〔２〕記載の発明において、前記電気部品が、所定の機構部が搭載され、前記ソケットに装着された状態で前記ソケットから突出する突出部を有し、前記アダプタが、前記突出部を挿入する挿入孔を有することを特徴とする。
【００２０】
このように構成した本発明では、アダプタに突出部を有する電気部品を収容することができる。
【００２１】
〔７〕本発明は、〔６〕記載の発明において、前記電気部品が、前記所定の機構部としてレンズ機構部が搭載される前記突出部を有するカメラモジュールからなることを特徴とする。
【００２２】
このように構成した本発明では、カメラモジュールのソケット装置として使用できる。
【発明の効果】
【００２３】
以上で説明したように、本発明によれば、端子を損傷させないようにソケットから電気部品を抜き取ることができる。したがって、ソケットと電気部品とを個別に再利用することや、ソケットと電気部品とを個別に部品交換することに貢献できる。
【発明を実施するための最良の形態】
【００２４】
以下で、本発明の一実施形態を図１〜７を用いて説明する。
【００２５】
図１は、本発明の電気部品用ソケット装置の実施形態にカメラモジュールが装着された状態を示す斜視図、図２は、図１の平面図、図３は、図２のIII−III断面図、図４は、図１に示すカメラモジュールを示す斜視図、図５は、図１に示すソケットを示す斜視図、図６は、図１に示すアダプタを示す斜視図、図７は、図４に示すカメラモジュールを図６に示すアダプタに収容した状態を示す斜視図である。
【００２６】
＜１＞  本実施形態の構成
本実施形態は、次のように構成してある。
【００２７】
本実施形態は、図１〜３に示すように、電気部品、例えばカメラモジュール１が挿入されて装着されるソケット５を備えている。このソケット５は、カメラモジュール１が装着される装着部７が形成されたソケット本体６と、装着部７内において露出し、カメラモジュール１と電気的に接触する端子１１と、ソケット本体６の外部に取付けられる枠体８とを備えている。
【００２８】
カメラモジュール１は、図４に示すように、直方体のカメラモジュール本体２と、このカメラモジュール本体２の上面２ａから突出し、所定の機構部、例えばレンズ機構部（図示せず）が搭載される円柱状の突出部３とを有する。カメラモジュール本体２の下面には、前記端子１１に電気的に接触する接触部（図示せず）を設けてある。また、カメラモジュール本体２には、後述するアダプタ１３の嵌合凸部１３ｃ１が嵌合する４つの嵌合凹部２ｃを形成してある。
【００２９】
ソケット本体６は、図５に示すように、４つの側壁６ａと底部６ｂとを有する。前記装着部７は、側壁６ａと底部６ｂとにより囲まれる凹部からなる。装着部７の平面視形状は、カメラモジュール１の平面視形状が略正方形あるのに対応させて略正方形に形成してある。ソケット本体６の各側壁６ａおよび底部６ｂには、端子１１を各側壁６ａに沿って並べて配置するためのスリット６ｃを形成してある。
【００３０】
端子１１は、ソケット本体６の各側壁６ａに沿って複数、例えば５つずつ並べてあり、これにより、側壁６ａと同数、すなわち４つの端子群１２を形成してある。各端子１１は、前記各スリット６ｃに圧入してあり、一端をソケット本体６の外部に突出させてある。各端子１１の一端は、図示しない基板に半田付される。
【００３１】
枠体８は、同図５に示すように、金属板を加工したものであり、４つの側板８ａを有する。枠体８は、その側板８ａを部分的にソケット本体６に圧入することによってソケット本体６取り付けてある。また、枠体８の側板８ａには、下方に突出する脚部８ｃを形成してある。各脚部８ｃは、図示しない基板に半田付されて、この基板を介して接地接続される。
【００３２】
また、本実施形態は、ソケット５に対するカメラモジュール１の抜け止めをする抜け止め手段を備えている。この抜け止め手段は、アダプタ１３（図６，７参照）と、前記枠体８に形成されアダプタ１３に係合する係合部９（図１〜３，５参照）とからなる。
【００３３】
アダプタ１３は、図６，７に示すように、金属板を加工したものであり、カメラモジュール１の側面２ｂを覆う側板１３ａと、カメラモジュール１の上面２ａを覆う上板１３ｂとを有する。アダプタ１３の四隅近傍には、側板１３ａ及び上板１３ｂの一部をアダプタ１３の内方に屈曲させてなる屈曲部１３ｃを設けてある。この屈曲部１３ｃの内側は、カメラモジュール１の前記嵌合凹部２ｃに嵌合する嵌合凸部１３ｃ１であり、屈曲部１３ｃの外側は、後述する係合部９の係合爪９ａと係合する係合凹部１３ｃ２である。また、アダプタ１３の各側板１３ａには、上下方向に延びアダプタ１３の内外方向に撓むことが可能に形成され、カメラモジュール本体２を挟持可能な板ばね部１３ｅを設けてある。
【００３４】
アダプタ１３の上板１３ｂには、カメラモジュール１の突出部３を挿入する貫通孔１３ｄを形成してある。上板１３ｂにおける貫通孔１３ｄの周囲には、カメラモジュール本体２の端面、すなわち、カメラモジュール本体２の上面２ａを押圧する４つの押圧部１３ｆを形成してある。各押圧部１３ｆは、アダプタ１３の各側板１３ａに沿って延び、一端を固定端とし他端を自由端とする板ばねからなる。各押圧部１３ｆは、アダプタ１３がカメラモジュール１とともにソケット本体６に挿入された状態において、カメラモジュール本体２を挟んで各端子群１２に対向する各位置に配置してある。
【００３５】
係合部９は、図５に示すように枠体８の各側板８ａに形成してあり、アダプタ１３の前記係合凹部１３ｃ２に係合する係合爪９ａ（図３参照）と、この係合爪９ａに連続し、装着部７に対するカメラモジュール１の挿入方向に対して交差する方向、すなわち枠体８の内外方向に撓むことが可能に形成される撓み部９ｂ（図５参照）とを有する。係合爪９ａは、上下方向に延ばしてあり、下端に位置する部分ほど装着部７の内方に位置するように傾斜させてある。また、ソケット本体６の側壁６ａには、撓み部９ｂの外方への撓みに伴う係合爪９ａの移動を許容する切欠き６ｄ（図５参照）を形成してある。
【００３６】
なお、アダプタ１３の係合凹部１３ｃ２は、図３に示すように、枠体８に形成された係合爪９ａが係合することにより、枠体８と図示しない基板とを介して接地接続されるようにしてある。つまり、係合凹部１３ｃ２は、カメラモジュール本体２の上面２ａおよび側面２ｂを覆うアダプタ１３の上板１３ｂおよび側板１３ａを接地接続する接地接続部として機能するようにしてある。
【００３７】
＜２＞  本実施形態の動作
上述のように構成した本実施形態では、次のようにしてカメラモジュール１がソケット５に装着される。
【００３８】
＜２−１＞  カメラモジュール１の装着
はじめに、カメラモジュール１をアダプタ１３に収容する。カメラモジュール１がアダプタ１３に収容された状態では、アダプタ１３の嵌合凸部１３ｃ１がカメラモジュール本体２の嵌合凹部２ｃに嵌合しており、アダプタ１３の板ばね部１３ｅによりカメラモジュール本体２が挟持されている。また、カメラモジュール１の突出部３は、アダプタ１３の上板１３ｂの貫通孔１３ｄに挿入されている。
【００３９】
カメラモジュール１を収容したアダプタ１３をソケット本体６の装着部７に挿入すると、まず、アダプタ１３の側板１３ａの下端により、係合部９の係合爪９ａが上方から押圧される。このとき、係合爪９ａが傾斜しているので、撓み部９ｂが外方へ撓む。つまり、アダプタ１３の下方への移動に伴って係合爪９ａが外方に向かって移動し、アダプタ１３の装着部７への挿入が許容される。
【００４０】
カメラモジュール１をさらに下方に押し込むと、カメラモジュール本体２の下面が端子１１の弾性力に抗してソケット本体６の底部６ｂに近接した状態となる。この状態では、アダプタ１３の係合凹部１３ｃ２の下端が係合爪９ａの下方まで移動しており、したがって、係合爪９ａの係合凹部１３ｃ２側への移動が許容される。これにより、撓み部９ｂが復帰して係合爪９ａが係合凹部１３ｃ２に係合し、アダプタ１３の装着部７への挿入、すなわち、カメラモジュール１のソケット５に対する装着が完了する。
【００４１】
このようにカメラモジュール１がソケット５に装着された状態では、端子１１の弾性力により、カメラモジュール本体２の下面に対してカメラモジュール１を押し上げる方向の力が作用しているが、上述したようにアダプタ１３の係合凹部１３ｃ２と係合部９の係合爪９ａが係合しているので、カメラモジュール１の上方への移動がアダプタ１３により規制される。つまり、カメラモジュール１がアダプタ１３を介してソケット５に装着された状態では、係合部９とアダプタ１３との係合によって、カメラモジュール１が抜け止めされている。
【００４２】
また、カメラモジュール１がソケット５に装着された状態では、アダプタ１３の押圧部１３ｆの弾性力により、カメラモジュール本体２の上面２ａに対して、ソケット本体６の底部６ｂ方向、すなわち端子１１方向の押圧力が作用している。つまり、各押圧部１３ｆによって、カメラモジュール本体２の下面に設けられた接触部と各端子群１２との接触圧が高められている。
【００４３】
＜２−２＞  カメラモジュール１の取外し
カメラモジュール１をソケット５から取り外すには、各係合爪９ａを各係合凹部１３ｃ２から同時に離間させることが可能な専用工具を使用し、各係合爪９ａと各係合凹部１３ｃ２との係合を解除した状態で、アダプタ１３とともにカメラモジュール１をソケット５から抜き取る。
【００４４】
＜３＞  本実施形態の効果
本実施形態によれば次の効果を得られる。
【００４５】
第１の実施形態では、ソケット５の装着部７から抜け出る方向のカメラモジュール１の移動を、端子１１とは別部材である枠体８に形成された係合部９と、アダプタ１３とによって規制し、これにより、ソケット５に対するカメラモジュール１の抜け止めを実現している。したがって、カメラモジュール１をソケット５から抜き取る際には、端子１１とは別部材である枠体８に形成された係合部９とアダプタ１３との係合を解除した状態で、アダプタ１３を抜き取った後に、または、アダプタ１３とともに、カメラモジュール１をソケット５から抜き取ることができる。これにより、端子１１を損傷させないようにソケット５からカメラモジュール１を抜き取ることができる。この結果、ソケット５とカメラモジュール１とを個別に再利用することや、ソケット５とカメラモジュール１とを個別に部品交換することに貢献できる。
【００４６】
また、本実施形態では、カメラモジュール１がアダプタ１３とともに装着部７に装着された状態において、アダプタ１３に形成された押圧部１３ｆによって、カメラモジュール１を端子１１方向に押圧するようにしてある。これにより、カメラモジュール１と端子１１との接触圧を、係合部９とアダプタ１３を係合させただけの場合よりも高めることができる。
【００４７】
また、本実施形態は、押圧部１３ｆが、カメラモジュール１がアダプタ１３とともにソケット１２に装着された状態において、カメラモジュール本体２を挟んで各端子群５のそれぞれに対向する位置のそれぞれに配置されるようにしてある。これにより、カメラモジュール１と各端子群１２との接触圧をほぼ均等に高めることができる。
【００４８】
また、本実施形態では、係合部９を、装着部７を囲むソケット本体６の４つの側壁６ａのうちの対向する側壁６ａのそれぞれに設けてあるとともに、カメラモジュール１の挿入方向に対して交差する方向に撓むことが可能な撓み部９ｂを有するようにしてある。これにより、撓み部９ｂをアダプタ１３から離れる方向に撓ませることによって、装着部７に対するアダプタ１３の抜き差し方向の移動を許容し、撓み部９ｂを復帰させることにより、係合爪９ａをアダプタ１３に係合させることができる。この結果、アダプタ１３のソケット５に対する着脱を容易に行うことができる。
【００４９】
また、本実施形態では、４つの押圧部１３ｆのそれぞれを、アダプタ１３の４つの側板１３ａのそれぞれに沿うように配置してある。これにより、カメラモジュール本体２の上面２ａ全体をほぼ均等に押圧することができ、したがって、装着部７の底面６ｂに対して近接・離間する方向へのカメラモジュール１の移動、および装着部７の底面６ｂに対するカメラモジュール１の傾きを、アダプタ１３と係合部９とを係合させただけの場合よりも抑制することができる。この結果、カメラモジュール１の光軸のずれを低減することができる。
【００５０】
また、本実施形態では、アダプタ１３がカメラモジュール１の側面２ｂを覆う側板１３ａを有する金属製の部材からなり、接地接続される接地接続部、すなわち、係合凹部１３ｃ２を有する。これにより、カメラモジュール１の側面２ｂと外部磁界とを遮断することができる。つまり、カメラモジュール１の側面２ｂに対する磁気シールドを実現できる。
【００５１】
また、本実施形態では、アダプタ１３が、ソケット５から露出するカメラモジュール１の端面、すなわちカメラモジュール本体２の上面２ａを覆う上板１３ｂを有する金属製の部材からなり、接地接続される接地接続部、すなわち、係合凹部１３ｃ２を有する。これにより、カメラモジュール本体２の上面２ａと外部磁界とを遮断することができる。つまり、カメラモジュール本体２の上面２ａに対する磁気シールドを実現できる。
【００５２】
なお、本実施形態は、アダプタ１３を介してカメラモジュール１をソケット５に装着する例であったが、カメラモジュール１よりも大きな寸法のカメラモジュール本体を有するものについては、カメラモジュール本体に、図４に示す嵌合凹部２ｃを形成して、アダプタ１３を介さずに、ソケット５に直接装着するようにしてもよい。この場合、係合部９と嵌合凹部２ｃとから、ソケット５に対するカメラモジュールの抜け止めをする抜け止め手段が構成される。
【００５３】
また、本実施形態は、カメラモジュール１に対応するソケット装置の例であったが、本発明は、これに限るものではなく、ソケット５及びアダプタ１３の形状、端子１１の配置や数を、カメラモジュール１とは異なる電気部品に対応するようにしたものでもよい。
【図面の簡単な説明】
【００５４】
【図１】本発明の電気部品用ソケット装置の実施形態にカメラモジュールが装着された状態を示す斜視図である。
【図２】図１の平面図である。
【図３】図２のIII−III断面図である。
【図４】図１に示すカメラモジュールを示す斜視図である。
【図５】図１に示すソケットを示す斜視図である。
【図６】図１に示すアダプタを示す斜視図である。
【図７】図４に示すカメラモジュールを図６に示すアダプタに収容した状態を示す斜視図である。
【符号の説明】
【００５５】
１        カメラモジュール（電気部品）
２        カメラモジュール本体
２ａ      上面（端面）
２ｂ      側面
２ｃ      嵌合凹部
３        突出部
５        ソケット
６        ソケット本体
６ａ      側壁
６ｂ      底面
６ｃ      スリット
６ｄ      切欠き
７        装着部
８        枠体
９        係合部（抜け止め手段）
９ａ      係合爪
９ｂ      撓み部
１１      端子
１２      端子群
１３      アダプタ（抜け止め手段）
１３ａ    側板
１３ｂ    上板
１３ｃ    屈曲部
１３ｃ１  嵌合凸部
１３ｃ２  係合凹部（接地接続部）
１３ｄ    貫通孔
１３ｆ    押圧部
【図１】
2005276585.tif 000003
【図２】
2005276585.tif 000004
【図３】
2005276585.tif 000005
【図４】
2005276585.tif 000006
【図５】
2005276585.tif 000007
【図６】
2005276585.tif 000008
【図７】
2005276585.tif 000009